(57)【要約】【課題】本発明は、小型化を図ったトレーニング器具を提供することを目的とする。【解決手段】トレーニング器具１は、眼球の周囲の筋肉をトレーニングするためのトレーニング器具１であって、凸面鏡２と、該凸面鏡２の周囲に設けられた囲み部３２と、眼球に対する凸面鏡２の位置を変化させるための操作部４と、を有している。トレーニング器具１は、操作部４により、使用者と凸面鏡２との位置を変化させ、使用者の眼球の周囲の筋肉を動かすことで、眼球の周囲の筋肉をトレーニングする。凸面鏡２は、鏡像を縮小し広い範囲を映すことができるから、トレーニング器具１の小型化を図ることができる。【選択図】図１
2020185272.tif 000002
【特許請求の範囲】
【請求項１】
眼球の周囲の筋肉をトレーニングするためのトレーニング器具であって、
凸面鏡と、
該凸面鏡の周囲に設けられた囲み部と、
前記眼球に対する前記凸面鏡の位置を変化させるための操作部と、を有していることを特徴とするトレーニング器具。
【請求項２】
前記凸面鏡の凸方向側の面は、中心を含む第１曲面と、該第１曲面の径方向外側に設けられた第２曲面と、を有し、
前記第１曲面の第１曲率半径は、前記第２曲面の第２曲率半径より大きくなるように形成されていることを特徴とする請求項１に記載のトレーニング器具。
【請求項３】
前記凸面鏡の凸方向側の面は、中心を含む第１曲面と、該第１曲面の径方向外側に設けられた第２曲面と、を有し、
前記第１曲面の第１曲率半径は、前記凸面鏡の直径より大きくなるように形成され、
前記第２曲面の第２曲率半径は、前記凸面鏡の直径より小さくなるように形成されていることを特徴とする請求項１または２に記載のトレーニング器具。
【請求項４】
前記操作部は、棒状に形成され、
前記操作部の一端は前記囲み部に連続され、他端は前記凸面鏡の中心及び前記操作部の一端を結ぶ線の延長線上にあることを特徴とする請求項１〜３のうち何れかに記載のトレーニング器具。
【請求項５】
前記操作部は、前記他端を含む部分が筒状に形成され、棒状の筆記具を着脱可能な装着部を有していることを特徴とする請求項４に記載のトレーニング器具。
【請求項６】
前記装着部は、弾性材から構成され、
前記装着部には、軸方向に延在する直線状のスリットが形成されていることを特徴とする請求項５に記載のトレーニング器具。
【請求項７】
前記囲み部において、前記凸面鏡の凸方向側の面には、周方向に等間隔をあけて複数の印部が設けられ、
前記複数の印部のうち１つは、少なくとも前記操作部の付け根部分に設けられていることを特徴とする請求項１〜６のうち何れか一項に記載のトレーニング器具。
【発明の詳細な説明】
【技術分野】
【０００１】
本発明は、眼球の周囲の筋肉をトレーニングするためのトレーニング器具に関する。
【背景技術】
【０００２】
従来、移動する目標に向かって視点を追従させることで、眼筋を積極的に動かして衰えた眼筋の機能を回復させたり、眼筋を鍛えて動体視力を向上させたりするトレーニングアイマスクが知られている（例えば、特許文献１参照。）。特許文献１に開示された従来のトレーニングアイマスクは、ゴーグル型に形成されている。このような従来のトレーニングアイマスクは、眼球の周囲に、刺激位置を知覚させる刺激発生装置を複数個配置し、配置された刺激発生装置を１カ所ずつ作動させる。使用者に刺激位置を知覚させ、その刺激位置方向を見るような眼の動きをさせることで眼筋のトレーニングを行う。
【先行技術文献】
【特許文献】
【０００３】
【特許文献１】特開２００４−０００３１８号公報
【発明の概要】
【発明が解決しようとする課題】
【０００４】
しかしながら、特許文献１に開示された従来のトレーニングアイマスクは、使用者の頭部に装着して使用するものであって、携帯には不向き大きさであった。
【０００５】
本発明は、小型化を図ったトレーニング器具を提供することを目的とする。
【課題を解決するための手段】
【０００６】
上記目的のために本発明は以下の構成を備える。
即ち、本発明は、眼球の周囲の筋肉をトレーニングするためのトレーニング器具であって、凸面鏡と、該凸面鏡の周囲に設けられた囲み部と、前記眼球に対する前記凸面鏡の位置を変化させるための操作部と、を有していることを特徴とするトレーニング器具である。
【０００７】
以上のような本発明によれば、トレーニング器具は、操作部により、使用者と凸面鏡との位置を変化させ、使用者の眼球の周囲の筋肉を動かすことで、眼球の周囲の筋肉をトレーニングする。凸面鏡は、鏡像を縮小し広い範囲を映すことができるから、トレーニング器具の小型化を図ることができる。
【０００８】
また、凸面鏡の凸方向側の面は、中心を含む第１曲面と、該第１曲面の径方向外側に設けられた第２曲面と、を有し、第１曲面の第１曲率半径は、第２曲面の第２曲率半径より大きくなるように形成されていることが好ましい。これによれば、凸面鏡が、第１曲面及び第２曲面を有して構成されていることにより、眼球の周囲の筋肉を十分に動かすための適切な範囲を、凸面鏡に映すことができる。
【０００９】
また、凸面鏡の凸方向側の面は、中心を含む第１曲面と、該第１曲面の径方向外側に設けられた第２曲面と、を有し、第１曲面の第１曲率半径は、凸面鏡の直径より大きくなるように形成され、第２曲面の第２曲率半径は、凸面鏡の直径より小さくなるように形成されていることが好ましい。これによれば、凸面鏡が、第１曲面及び第２曲面を有して構成されていることにより、眼球の周囲の筋肉を十分に動かすための適切な範囲を、凸面鏡に映すことができる。
【００１０】
また、操作部は、棒状に形成され、操作部の一端は囲み部に連続され、他端は凸面鏡の中心及び操作部の一端を結ぶ線の延長線上にあることが好ましい。これによれば、棒状の操作部を把持することで、使用者の顔を含む適切な範囲を凸面鏡に写すことができる。よって、使い勝手の向上を図ることができる。
【００１１】
また、操作部は、他端を含む部分が筒状に形成され、棒状の筆記具を着脱可能な装着部を有していることが好ましい。これによれば、使用時に、装着部に筆記具を装着することにより、操作部の軸が長くなり、使用者が操作部を把持し易くなるから、より一層、使い勝手の向上を図ることができる。また、非使用時に、装着部から筆記具を脱着させることで、トレーニング器具をコンパクトにすることができる。これにより、トレーニング器具を、例えば、筆箱等に収納可能な程度の大きさにすることができる。
【００１２】
また、装着部は、弾性材から構成され、装着部には、軸方向に延在する直線状のスリットが形成されていることが好ましい。これによれば、装着部に筆記具を着脱させ易くすることができる。
【００１３】
また、囲み部において、凸面鏡の凸方向側の面には、周方向に等間隔をあけて複数の印部が設けられ、複数の印部のうち１つは、少なくとも操作部の付け根部分に設けられていることが好ましい。使用者が操作部を持った際、操作部の付け根部分に設けられた印部が下方に位置する。ここで、例えば、印部が４個であった場合には、印部は囲み部の上方、下方、左方、右方の四方向に位置され、印部が８個であった場合には、印部は囲み部の八方向に位置される。これによれば、印部が形成されていることにより、使用者は、操作部を用いて、印部が形成された方向に凸面鏡を動かすことで、眼球の周囲の筋肉を適切な方向に動かすことができる。
【発明の効果】
【００１４】
本発明によれば、トレーニング器具の小型化を図ることができる。
【図面の簡単な説明】
【００１５】
【図１】本発明の一実施の形態にかかるトレーニング器具を示す斜視図である。
【図２】前記トレーニング器具の上面図である。
【図３】前記トレーニング器具の底面図である。
【図４】前記トレーニング器具の正面図である。
【図５】前記トレーニング器具の背面図である。
【図６】前記トレーニング器具の側面図である。
【図７】図１中のＩ−Ｉ線に沿う断面図である。
【発明を実施するための形態】
【００１６】
以下、本発明の例示的一態様である実施形態にかかるトレーニング器具を図１〜７を参照して説明する。図１は、本発明の一実施の形態にかかるトレーニング器具１を示す斜視図である。
【００１７】
トレーニング器具１は、図１に示すように、凸面鏡２と、凸面鏡２を支持する支持部３と、使用者に対する凸面鏡２の位置を変化させるための棒状の操作部４と、支持部３と操作部４とを連結する連結部５と、を有して構成されている。なお、本実施形態では、凸面鏡２の湾曲方向（凸方向）を「前方」と記し、反対方向を「後方」と記す場合がある。前後に直交する平面のうち、操作部４の軸方向を「上下方向」と記し、上下方向及び前後方向に直交する方向を「左右方向」と記す。
【００１８】
凸面鏡２は、図２〜４に示すように、湾曲した凸の曲面を鏡面とした鏡である。この凸面鏡２は、中心Ｐを含む円形部２１と、円形部２１の径方向外側に設けられたドーナツ形状の外周部２２と、を有して構成されている。凸面鏡２は、図４に示すように、直径φ１が３９．６ｍｍ（略４０ｍｍ）と成るように形成されている。また、円形部２１は、第１曲率半径Ｒ１が８０ｍｍの曲面（第１曲面２１０）から構成され、外周部２２は、第２曲率半径Ｒ２が２８ｍｍの曲面（第２曲面２２０）から構成されている。即ち、凸面鏡２の第１曲面２１０の第１曲率半径Ｒ１は、凸面鏡２の直径φ１より大きくなるように形成され、第２曲面２２０の第２曲率半径Ｒ２は、凸面鏡２の直径φ１より小さくなるように形成されている。
【００１９】
この凸面鏡２には、図７に示すように、中心Ｐから後方に立設された軸部２３が設けられている。軸部２３が、支持部３の後述する軸受け３０に挿入されることで、凸面鏡２は支持部３に支持される。
【００２０】
支持部３は、図５、６に示すように、中心部に軸受け２０を有する板状部３１と、板状部３１の周囲に設けられた囲み部３２と、軸受け２０を中心として放射状に延びる８本の支持部材３３と、を有して構成されている。
【００２１】
囲み部３２は、図７に示すように、板状部３１の周縁から前方に立設される第１立設部３２０と、第１立設部３２０に連続される頂面部３２１と、頂面部３２１に連続されるとともに第１立設部３２０に対向して設けられる第２立設部３２２と、を有して構成されている。
【００２２】
頂面部３２１は、前後方向に直交する平面から構成されている。この頂面部３２１には、図４に示すように、周方向に等間隔をあけて８個（複数）の印部６が設けられている。各印部６は、前方に円柱状に立設されている。８個の印部６のうち一つの印部６Ａは、前方から見て、凸面鏡２の中心Ｐと操作部４の軸とを結ぶ仮想線上に設けられている。即ち、８個の印部６は、凸面鏡２の中心Ｐを中心とした上方、下方、左方、右方、右斜め上方、右斜め下方、左斜め上方、及び左斜め下方の八方向に設けられている。
【００２３】
このような支持部３は、図７に示すように、板状部３１の厚さＨ１が３ｍｍとなるように形成されている。また、各印部６の直径φ２が２ｍｍとなるように形成されている。また、支持部３に凸面鏡２が支持された状態で、板状部３１の前面から凸面鏡２の頂部（中心Ｐを付与した部分）までの寸法Ｈ３が５．３ｍｍとなるように形成されている。
【００２４】
操作部４は、図５〜７に示すように、下方に開口４０を有する円筒状に形成されている。この操作部４は、ゴム等の弾性材から構成されている。また、操作部４の下端（開口４０）を含む部分には、筆記具を着脱可能な装着部４１が設けられている。
【００２５】
装着部４１には、図６に示すように、操作部４を構成する周壁４１Ａに、一対のスリット７、８が形成されている。一対のスリット７、８は、操作部４の軸を挟んで前後に対向する位置に形成されている。各スリット７、８は、操作部４の下端を切り欠いて、軸方向に延在形成されている。
【００２６】
一対のスリット７、８のうち前方側の第１スリット７は、図４、７に示すように、所定の間隔をあけて対向する一対の第１直線部７０と、一対の第１直線部７０に連続される半円部７１と、を有して構成されている。各第１直線部７０は、上下方向に直線状に延在形成されている。半円部７１の両端は、第１直線部７０の上端に連続されている。
【００２７】
一対のスリット７、８のうち後方側の第２スリット８は、図４、７に示すように、所定の間隔をあけて対向する一対の第２直線部８０と、一対の第２直線部８０に連続される円弧部８１と、を有して構成されている。各第２直線部８０は、上下方向に直線状に延在形成されている。円弧部８１の両端は、各第２直線部８０の上端に連続されている。第１スリット７における一対の第１直線部７０の対向寸法は、第２スリット８における一対の第２直線部８０の対向寸法より大きくなるように形成されている。
【００２８】
このようなトレーニング器具１は、装着部４１の開口４０に筆記具を挿入することで、装着部４１に筆記具を装着して、操作部４を長くする。これにより、使用者が操作部４を把持し易くする。トレーニング器具１は、操作部４の付け根にある印部６が下方に位置し、凸面鏡２の鏡面が使用者と対向する向きで、両眼の間で眼と同じ高さに位置させる。ここから、操作部４を操作して、凸面鏡２を前方にゆっくり移動させる。即ち、凸面鏡２を使用者に近付ける。使用者は、両眼の視点が凸面鏡２の中心Ｐを向いていることを意識しつつ、凸面鏡２に映った自分の両眼の状態を確認する。このように、凸面鏡２に映った自分の両眼の状態を確認することで、眼球の周囲の筋肉を効果的に運動させることができる。この後、操作部４を操作して、凸面鏡２を後方にゆっくり移動させる。即ち、凸面鏡２を使用者から遠ざける。次に、凸面鏡２を前後方向の適宜な位置で、印部６の方向（例えば上方）に移動させる。このように順次、８個の印部６の方向に凸面鏡２を移動させることで、眼球の周囲の筋肉をトレーニングする。
【００２９】
このようなトレーニング器具１は、眼球の周囲の筋肉をトレーニングするためのトレーニング器具１であって、凸面鏡２と、該凸面鏡２の周囲に設けられた囲み部３２と、前記眼球に対する前記凸面鏡２の位置を変化させるための操作部４と、を有している。これによれば、トレーニング器具１は、操作部４により、使用者と凸面鏡２との位置を変化させ、眼球の周囲の筋肉を動かすことで、眼球の周囲の筋肉をトレーニングする。凸面鏡２は、鏡像を縮小し広い範囲を映すことができるから、トレーニング器具１の小型化を図ることができる。
【００３０】
また、凸の曲面（凸面鏡２の凸方向側の面）は、中心Ｐを含む第１曲面２１０と、該第１曲面２１０の径方向外側に設けられた第２曲面２２０と、を有し、第１曲面２１０の第１曲率半径Ｒ１は、第２曲面２２０の第２曲率半径Ｒ２より大きくなるように形成されている。これによれば、凸面鏡２が、第１曲面２１０及び第２曲面２２０を有して構成されていることにより、眼球の周囲の筋肉を十分に動かすことが可能な適切な範囲を凸面鏡２に映すことができる。
【００３１】
また、第１の第１曲率半径Ｒ１は、凸面鏡２の直径φ１より大きくなるように形成され、第２の第１曲率半径Ｒ１は、凸面鏡２の直径φ１より小さくなるように形成されている。これによれば、より一層、適切な範囲を凸面鏡２に映すことができる。
【００３２】
また、操作部４は、棒状に形成され、操作部４の一端は囲み部３２に連続され、他端は凸面鏡２の中心Ｐ及び操作部４の一端を結ぶ線の延長線上にある。これによれば、操作部４を把持することで、使用者の顔を含む適切な範囲を凸面鏡２に写すことができる。よって、使い勝手の向上を図ることができる。
【００３３】
また、操作部４は、他端を含む部分が筒状に形成され、棒状の筆記具を着脱可能な装着部４１を有している。これによれば、使用時に、装着部４１に筆記具を装着することにより、操作部４の軸が長くなり、使用者が操作部４を把持し易くなるから、より一層、使い勝手の向上を図ることができる。また、非使用時に、装着部４１から筆記具を脱着させることで、トレーニング器具１をコンパクトにすることができる。これにより、トレーニング器具１を、例えば、筆箱等に収納可能な程度の大きさにすることができる。
【００３４】
また、装着部４１は、弾性材から構成され、装着部４１には、軸方向に延在する直線状のスリットが形成されている。これによれば、装着部４１に筆記具を着脱させ易くすることができる。
【００３５】
また、囲み部３２において、凸面鏡２の凸方向側の面には、周方向に等間隔をあけて複数の印部６が設けられ、複数の印部６のうち１つは、少なくとも操作部４の付け根部分に設けられている。使用者が操作部４を持った際、操作部４の付け根部分に設けられた印部６が下方に位置する。ここで、例えば、印部６が４個であった場合には、印部６は囲み部３２の上方、下方、左方、右方の四方向に位置され、印部６が８個であった場合には、印部６は囲み部３２の八方向に位置される。これによれば、印部６が形成されていることにより、使用者は、操作部４を用いて、印部６が形成された方向に凸面鏡２を動かすことで、眼球の周囲の筋肉を適切な方向に動かすことができる。
【００３６】
なお、本発明は、前記実施形態に限定されるものではなく、本発明の目的が達成できる他の構成等を含み、以下に示すような変形等も本発明に含まれる。
【００３７】
前記実施形態では、凸面鏡２において、円形部２１は、第１曲率半径Ｒ１（第１曲率半径Ｒ１）が８０ｍｍの曲面（第１曲面２１０）から構成され、外周部２２は、第１曲率半径Ｒ１（第２曲率半径Ｒ２）が２８ｍｍの曲面（第２曲面２２０）から構成されているが、本発明はこれに限定されるものではない。凸面鏡２は、第１曲率半径Ｒ１が８０ｍｍの曲面（第１曲面２１０）のみから構成されていてもよい。また、凸面鏡２において、第１曲面２１０は、第１曲率半径Ｒ１が７２ｍｍ〜８８ｍｍとなるように形成されていてもよく、第２曲面２２０は、第２曲率半径Ｒ２が２５ｍｍ〜３１ｍｍとなるように形成されていてもよい。
【００３８】
また、操作部４は、一端が囲み部３２に連続され、他端が操作部４の一端及び凸面鏡２の中心Ｐを結ぶ延長線上に位置するような棒状に形成されているが、本発明はこれに限定されるものではない。操作部は、使用者が把持可能なように、支持部３の中心Ｐから後方に突出して設けられていてもよい。また、操作部は、予め定められた方向に移動する移動部（不図示）にされ、移動部が、印部６が設けられた八方向、及び、前方及び後方に、凸面鏡２を移動させるように構成されていてもよい。これによれば、眼球の周囲の筋肉を、予め決められた印部６が設けられた八方向、及び、前方及び後方の全ての方向に動かすことができる。
【００３９】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の足先パッドの構成を具備する限り、勿論、本発明の範疇に含まれるものである。
【符号の説明】
【００４０】
１      トレーニング器具
２      凸面鏡
２１０  第１曲面
２２０  第２曲面
３２    囲み部
４      操作部
４１    装着部
６      複数の印部
７      第１スリット（スリット）
８      第２スリット（スリット）
Ｐ      中心
Ｒ１    第１曲率半径
Ｒ２    第２曲率半径
φ１    凸面鏡の直径
【図１】
2020185272.tif 000003
【図２】
2020185272.tif 000004
【図３】
2020185272.tif 000005
【図４】
2020185272.tif 000006
【図５】
2020185272.tif 000007
【図６】
2020185272.tif 000008
【図７】
2020185272.tif 000009